(57)【要約】【課題】キャップが遊び半分の弄くりによって容易に無断開放されることがないキャップ付き錠を提供する。【解決手段】錠本体の側面部の固定翼部とキャップの側面部の可動翼部を錠本体の前面と平行な枢軸によって連結し、固定翼部とは反対側の錠本体の側面部に拘束突出部を形成し、可動翼部とは反対側のキャップの側面部に被拘束突出部を形成し、拘束突出部または被拘束突出部に横移動可能にキャッチ部材を設け、被拘束突出部または拘束突出部にフック部材を突設し、キャップが錠本体の前面部に閉じ合わされたとき、フック部材をキャッチ部材に係合させ、バネ部材の押圧付勢によってフック部材とキャッチ部材の係合を維持し、鍵の使用時には、バネ部材に抗してキャッチ部材を横移動させてフック部材とキャッチ部材の係合を解除する。【選択図】    図５
2004250877.tif 000002
【特許請求の範囲】
【請求項１】
錠本体の側面部の固定翼部とキャップの側面部の可動翼部を錠本体の前面と平行な枢軸によって連結し、固定翼部とは反対側の錠本体の側面部に拘束突出部を形成し、可動翼部とは反対側のキャップの側面部に被拘束突出部を形成し、拘束突出部または被拘束突出部に横移動可能にキャッチ部材を設け、被拘束突出部または拘束突出部にフック部材を突設し、キャップが錠本体の前面部に閉じ合わされたとき、フック部材をキャッチ部材に係合させ、バネ部材の押圧付勢によってフック部材とキャッチ部材の係合を維持し、鍵の使用時には、バネ部材に抗してキャッチ部材を横移動させてフック部材とキャッチ部材の係合を解除するようにしたキャップ付き錠。
【請求項２】
キャップの被拘束突出部の横幅を錠本体の拘束突出部の横幅よりも広く設定し、拘束突出部に形成したガイド溝にキャッチ部材を収容し、フック部材とキャッチ部材が係合したとき、キャッチ部材の操作端部が拘束突出部の側面より突出し、被拘束突出部の背後に配置されるようにキャッチ部材の長さを設定したことを特徴とする請求項１に記載のキャップ付き錠。
【請求項３】
キャップの被拘束突出部または錠本体の拘束突出部に形成したガイド溝にキャッチ部材を収容し、フック部材とキャッチ部材が係合したとき、キャッチ部材の操作端部が被拘束突出部または拘束突出部の側面より突出しないようにキャッチ部材の長さを設定したことを特徴とする請求項１に記載のキャップ付き錠。
【発明の詳細な説明】
【０００１】
【発明の属する技術分野】本発明は、鍵孔を隠蔽するキャップが装備された錠に関するものである。
【０００２】
【従来の技術】例えば交通信号機の制御盤が収納されたボックスの扉に使用される錠では、浮遊塵埃や雨水の侵入によって錠機構が作動不能や作動不良を来さないようにするため、錠本体の前面部にキャップを装備し、鍵孔を隠蔽している（例えば、特許文献１参照）。
【０００３】
従来のキャップ付き錠では、キャップは錠本体の前面に直角な枢軸を中心に回転可能に取付けられており、キャップ裏面に形成した浅い円形凹部が錠本体の前面に形成した低い円形隆起部に嵌まるように、キャップがバネ部材によって錠本体に引き付けられている。そのため、錠本体の鍵孔はキャップによって被覆された状態に保持される。
【０００４】
信号機の管理者が制御盤の点検修理や設定変更のために扉を開けたいときには、キャップ周面に形成された指掛け用窪み部に指を掛けて、キャップに対し側面方向から回転力を与える。この回転力によってキャップの周縁部が前記円形隆起部の湾曲側面部に押し付けられるため、キャップは該湾曲側面部に誘導されて錠本体の前面方向に自動的に移動し、該円形隆起部の前面に乗り上げたキャップは、鍵孔を全面開放し、鍵の操作に支障とならない位置まで回転させられる。
【０００５】
しかしながら、このようにキャップは指掛け用窪み部に指を掛けて側面方向に押せば、何時でも誰にでも簡単に開放回転し得る状態にセットされているため、信号待ちの通行人等が遊び半分でキャップを弄くって開けてしまい、その後、信号が変わったときキャップを閉めないままに現場を立ち去ってしまうことがある。
キャップが開放状態に放置されてしまうと、鍵孔は塵埃や雨水の侵入に対して無防備となってしまう。
【０００６】
【特許文献１】実公平６―４３３９４号公報
【０００７】
【発明が解決しようとする課題】したがって本発明の目的は、キャップが遊び半分の弄くりによって容易に無断開放されることがないキャップ付き錠を提供することである。
【０００８】
【課題を解決するための手段】上記課題を解決するために請求項１の発明のキャップ付き錠では、錠本体の側面部の固定翼部とキャップの側面部の可動翼部を錠本体の前面と平行な枢軸によって連結し、固定翼部とは反対側の錠本体の側面部に拘束突出部を形成し、可動翼部とは反対側のキャップの側面部に被拘束突出部を形成し、拘束突出部または被拘束突出部に横移動可能にキャッチ部材を設け、被拘束突出部または拘束突出部にフック部材を突設し、キャップが錠本体の前面部に閉じ合わされたとき、フック部材をキャッチ部材に係合させ、バネ部材の押圧付勢によってフック部材とキャッチ部材の係合を維持し、鍵の使用時には、バネ部材に抗してキャッチ部材を横移動させてフック部材とキャッチ部材の係合を解除する。
【０００９】
請求項２の発明では、請求項１の発明の前記構成に加えて、キャップの被拘束突出部の横幅を錠本体の拘束突出部の横幅よりも広く設定し、拘束突出部に形成したガイド溝にキャッチ部材を収容し、フック部材とキャッチ部材が係合したとき、キャッチ部材の操作端部が拘束突出部の側面より突出し、被拘束突出部の背後に配置されるようにキャッチ部材の長さを設定する。
【００１０】
請求項３の発明では、請求項１の発明の前記構成に加えて、キャップの被拘束突出部または錠本体の拘束突出部に形成したガイド溝にキャッチ部材を収容し、フック部材とキャッチ部材が係合したとき、キャッチ部材の操作端部が被拘束突出部または拘束突出部の側面より突出しないようにキャッチ部材の長さを設定する。
【００１１】
【発明の作用】請求項１の発明のキャップ付き錠では、鍵を使用するためにキャップを開放するときには、キャップの被拘束突出部に指を掛けてキャップを引き上げ、図１に示したように前記枢軸を中心にキャップを跳ね上げ回転させる。
キャップの開放回転によって錠本体の鍵孔が現れるので、鍵孔に所定の鍵を挿入して施錠軸を錠本体に対して回転させ、施錠軸に連動装備したロック部材を解錠位置に駆動する。これによってボックス本体に対する扉の拘束が解除され、扉は制御盤などの内蔵機器の点検修理や設定変更のために開放させられる。
【００１２】
所要の作業終了後、扉は再び閉鎖され、鍵を逆に回して前記ロック部材で扉をボックス本体に錠止した後、鍵が施錠軸の鍵孔から抜き取られ、キャップが前記枢軸を中心に引き下げ回されて、錠本体の前面部に閉じ合わされる。
この閉合の最終段階でキャップの被拘束突出部のフック部材が錠本体の拘束突出部のキャッチ部材に係合し、両者の係合がバネ部材の押圧付勢によって保持される。
【００１３】
【発明の実施の形態】図示の実施例では、錠本体１はラッチユニット２の前面板部３に対して直角に固着されており、錠本体１の中央孔４に回転可能に嵌合された施錠軸５には、鍵孔６が軸方向に形成されている。ラッチユニット２は扉（図示していない）の裏側に格納される。施錠軸５の内端部には適当なカム機構を介してラッチ型のロック部材７が、直線的に進退するように連動装備されている。ロック部材７の先端部は、ボックス本体（図示していない）の受金部に係脱し、扉を閉鎖位置に錠止する。
【００１４】
キャッチ部材８は錠本体１の板状の拘束突出部９に横断方向に形成されたガイド溝１０に収容されている。拘束突出部９にはガイド溝１０に交差する方向に縦孔１１が形成されている。キャッチ部材８には、縦孔１１に整列する位置にロック孔１２が形成されている。キャッチ部材８を押圧付勢するバネ部材１３は圧縮コイルバネによって構成され、ガイド溝１０の奥端部とキャッチ部材８の基端部の間に圧縮して挿入されている。キャッチ部材８の操作端部８ａはＬ字状に曲げられて拘束突出部９の側面から突出している。
【００１５】
キャップ１４の板状の被拘束突出部１４の裏面にはフック部材１６が直角に突出形成されている。キャップ１４が錠本体１の前面部に閉じ合わすとき、フック部材１６の先端部は錠本体１の拘束突出部９の前記縦孔１１に挿入される。縦孔１１内を進行して来たフック部材１６は、先端カム面１６ａがロック孔１１の一側の孔縁部を押すことによって、キャッチ部材８を一旦引き込み方向に横移動させる。キャップ１４が錠本体１の前面部に当接した閉合終端では、キャッチ部材８はバネ部材１３の押圧付勢によって突出方向に横移動し、ロック孔１１の他側の孔縁部背面に深く係合し、キャップ１４を錠本体１に対して開放不能に拘束する。
【００１６】
錠本体１には拘束突出部９と直径上で対向する位置に２個の固定翼部１７が形成され、固定翼部１７には錠本体１の前面部と平行に軸孔１８が形成されている。キャップ１４には被拘束突出部１５と直径上で対向する位置に可動翼部１９が形成され、可動翼部１９にはキャップ１４の前面部と平行に軸孔２０が形成されている。枢軸２１は軸孔１８と軸孔２０に嵌挿されている。キャップ付き錠は、通常、枢軸２１が施錠軸５の上位側に水平に配置されるように扉に取り付けられる。
枢軸２１と軸孔１８，２０の間には、キャップ１４を跳ね上げ位置に保持するために弾性ブッシュを挿入し、両者間の摩擦力を高めることもできる。
【００１７】
図６に示したように請求項３の発明の実施形態では、キャッチ部材８の操作端部８ａは常時、ガイド溝１０内に入り込んでおり、この突き押し操作にはピン部材２２が使用される。
【００１８】
【発明の効果】以上のように請求項１の発明のキャップ付き錠では、錠本体の前面と平行な枢軸を中心にキャップを閉じ合わせ回転させたとき、錠本体の拘束突出部またはキャップの被拘束突出部に横移動可能に設けたキャッチ部材に対して、キャップの被拘束突出部または錠本体の拘束突出部に突設したフック部材を係合させるため、通行人等の遊び半分の弄くりによってキャップは簡単に無断開放されることがない。
バネ部材に抗してキャッチ部材を積極的に横移動させてフック部材とキャッチ部材の係合を解除し、キャップを跳ね上げ回転させなければならないので、悪戯による開放操作が抑制され、他物や人体との接触による偶発的な開放からも防護される。
【００１９】
請求項２の発明のキャップ付き錠では、キャップの被拘束突出部の横幅を錠本体の拘束突出部の横幅よりも広く設定してあり、フック部材とキャッチ部材が係合したとき、キャッチ部材の操作端部が拘束突出部の側面より突出して、被拘束突出部の背後に配置されるようにキャッチ部材の長さを設定してあるため、錠本体を正面から見たとき、キャッチ部材の存在が察知され難くなり、それだけ悪戯半分でキャップを開けようとする動機付けが減ることになる。
【００２０】
請求項３の発明のキャップ付き錠では、フック部材とキャッチ部材が係合したとき、キャッチ部材の操作端部がキャップの被拘束突出部または錠本体の拘束突出部の側面より突出しないため、キャッチ部材の存在が察知され難くなり、それだけ悪戯半分でキャップを開けようとする動機付けが減ることになる。仮にキャッチ部材の存在に気が付いても、キャッチ部材の操作端部はガイド溝内に位置しているため、これを突き押すためのピン部材がなければ、フック部材との係合が解かれる位置までキャッチ部材を押し動かすことは不可能であり、無断開放に対する抵抗性が増強される。
【図面の簡単な説明】
【図１】本発明の一実施例に係るキャップ付き錠のキャップ開放状態の正面図である。
【図２】図１のキャップ付き錠のキャップ開放状態の左側面図である。
【図３】図１のキャップ付き錠のキャップ開放状態の底面図である。
【図４】図１のキャップ付き錠のキャップ閉鎖状態の正面図である。
【図５】図４のＡ−Ａ線断面図である。
【図６】本発明の別の実施例に係るキャップ付き錠の図５に対応した断面図である。
【符号の説明】
１  錠本体
２  ラッチユニット
３  ラッチユニットの前面板部
４  錠本体の中央孔
５  施錠軸
６  鍵孔
７  ロック部材
８  キャッチ部材
９  拘束突出部
１０  ガイド溝
１１  縦孔
１２  ロック孔
１３  バネ部材
１４  キャップ
１５  被拘束突出部
１６  フック部材
１７  固定翼部
１８  軸孔
１９  可動翼部
２０  軸孔
２１  枢軸
２２  ピン部材
【図１】
2004250877.tif 000003
【図２】
2004250877.tif 000004
【図３】
2004250877.tif 000005
【図４】
2004250877.tif 000006
【図５】
2004250877.tif 000007
【図６】
2004250877.tif 000008